(57)【要約】【課題】接続線の嵩張りを低減できる電力コントローラ及びグローブを提供する。【解決手段】電熱式ヒータセット１００は、電力コントローラ１０１と、バッテリ１０３と、電熱式ヒータ装置１０４とから構成されている。電熱式ヒータ装置１０４は、コネクタ部１０５と、接続コード１０６と、シート型発熱体１０７とから構成されている。電力コントローラ１０１は、バッテリ１０３と接続されるＵＳＢオスコネクタ１０１ｃと、バッテリ１０３からの電力で駆動するシート型発熱体１０７に間接的に接続される電源出力用メスコネクタ１０１ｄと、本体部１０１ａとを有している。本体部１０１ａは、ＵＳＢオスコネクタ１０１ｃから入力された電力を、シート型発熱体１０７に作用するのに適切な電力の形式に変換して、電源出力用メスコネクタ１０１ｄに出力する。ＵＳＢオスコネクタ１０１ｃはＵＳＢ形式の端子で形成される。【選択図】図１
2020063526.tif 000002
【特許請求の範囲】
【請求項１】
バッテリと接続される第１端子と、
前記バッテリからの電力で駆動する作用部に直接または間接的に接続される第２端子と、
本体部と、を有し、
前記本体部は、前記第１端子から入力された電力を、前記作用部に作用するのに適切な電力の形式に変換して、前記第２端子に出力し、
前記第１端子は、ＵＳＢ形式の端子で形成される
電力コントローラ。
【請求項２】
前記第１端子は、オス形式のＵＳＢ端子であり、
前記第１端子は、前記本体部からその端子部分が直接伸びている
請求項１に記載の電力コントローラ。
【請求項３】
請求項１又は請求項２記載の電力コントローラと、
前記電力コントローラへのバッテリと、
の少なくともいずれか一方を収納可能な収納部と、
手の平側、又は、手の甲側に当接されて発熱する作用部と、
前記作用部と前記電力コントローラとの間を電気的に接続する接続線と、
を有するグローブ。
【請求項４】
手の平側、及び、手の甲側を跨ることによって、１つの作用部で、手の平側、及び、手の甲側を温めることが可能な
請求項３に記載のグローブ。
【発明の詳細な説明】
【技術分野】
【０００１】
本発明は電力コントローラ及びグローブに係る。より具体的には、ＵＳＢ形式の端子で作られた端子を持つ電力コントローラにかかる。また、このコントローラを使用できる発熱グローブに関する。
【背景技術】
【０００２】
近年、冬期の屋外作業による体温低下を防止するものとして、電熱式のヒータを組み込んだベスト等の防寒着が種々開発されている（特許文献１，２参照）。これらの防寒着は、布地にマイクロカーボンファイバーヒータやニクロム線ヒータ等の発熱体を取り付け（あるいは、編み込み）、電源となる２次電池（リチウムイオン電池等）や車載バッテリの電力を発熱体に供給して発熱させる構造となっている。
【先行技術文献】
【特許文献】
【０００３】
【特許文献１】特開２０１５−６７９３８号公報
【特許文献２】特開平１０−１８１１１号公報
【発明の概要】
【発明が解決しようとする課題】
【０００４】
しかしながら、特許文献１に記載の防寒着においては、ジャケットの首部、背部、腹部にヒーターを配し、片方のポケットにバッテリー、他方のポケットに制御部を配しこれらの間を導体の接続線により配線する構造になっているので、バッテリーと制御部の間を配線する接続線が嵩張るという不利益がある。
【０００５】
特許文献２に記載のオートバイ用ヒーター付ベストにおいては、オートバイのバッテリーを電源とするニクロム線入り発熱体を取り付けたベストを用いているので、オートバイのバッテリーからベストまでの電気的接続に用いる接続線が嵩張るという不利益がある。
【０００６】
本発明は、接続線の嵩張りを低減できる電力コントローラ及びグローブを提供することである。
【課題を解決するための手段】
【０００７】
本発明の第１の観点における電力コントローラは、バッテリと接続される第１端子と、作用部に直接または間接的に接続される第２端子と、本体部と、を有する。
【０００８】
本発明の本体部は、前記第１端子から入力された電力を、前記作用部に作用するのに適切な電力の形式に変換して、前記第２端子に出力する。
【０００９】
好適には、請求項１に記載の発明の電力コントローラは、バッテリと接続される第１端子と、前記バッテリからの電力で駆動する作用部に直接または間接的に接続される第２端子と、本体部と、を有し、前記本体部は、前記第１端子から入力された電力を、前記作用部に作用するのに適切な電力の形式に変換して、前記第２端子に出力し、前記第１端子は、ＵＳＢ形式の端子で形成される。
【００１０】
請求項２に記載の発明の電力コントローラは、本発明の請求項１に記載の電力コントローラにおいて、前記第１端子は、オス形式のＵＳＢ端子であり、前記第１端子は、前記本体部からその端子部分が直接伸びている。
【００１１】
請求項３に記載の発明のグローブは、請求項１又は請求項２記載の電力コントローラと、前記電力コントローラへのバッテリと、の少なくともいずれか一方を収納可能な収納部と、手の平側、又は、手の甲側に当接されて発熱する作用部と、前記作用部と前記電力コントローラとの間を電気的に接続する接続線と、を有する。
【００１２】
請求項４に記載の発明のグローブは、本発明の請求項３に記載のグローブにおいて、手の平側、及び、手の甲側を跨ることによって、１つの作用部で、手の平側、及び、手の甲側を温めることが可能になっている。
【発明の効果】
【００１３】
本発明における電力コントローラ及びグローブによって、接続線の嵩張りを低減することが可能となった。
【図面の簡単な説明】
【００１４】
【図１】本発明の第１の実施形態に係る電熱式ヒータセットを示す分解斜視図である。
【図２】本発明の第１の実施形態に係るグローブ本体の裏面を示す展開図である。
【図３】本発明の第１の実施形態に係るグローブ本体に電熱式ヒータセットを装着した右手用のグローブの裏面を示す展開図である。
【図４】本発明の第１の実施形態に係る左手用及び右手用のグローブを作業者の左手及び右手に着用した状態を示す説明図である。
【発明を実施するための形態】
【００１５】
以下、本発明の実施形態を、図１〜図４を用いて詳細に説明する。
＜第１の実施形態＞
【００１６】
図１は、本発明の第１の実施形態に係る電熱式ヒータセットを示す分解斜視図である。
図１において、電熱式ヒータセット１００は、電力コントローラ１０１と、バッテリ１０３と、電熱式ヒータ装置１０４とから構成されている。
【００１７】
電熱式ヒータ装置１０４は、コネクタ部１０５と、接続コード１０６（接続線）と、シート型発熱体（作用部）１０７とから構成されている。
【００１８】
電力コントローラ１０１は、箱状の形成された本体部１０１ａの正面に押しボタンスイッチ１０１ｂを設け、本体部１０１ａの下面にＵＳＢオスコネクタ１０１ｃを設け、本体部１０１ａの右側面に電源出力用メスコネクタ１０１ｄを設けている。
【００１９】
バッテリ１０３は、５Ｖの出力を有するものであり、本体ケース１０３ａに充電用電池及び充放電用の回路等を収納したものである。本体ケース１０３ａの一つの端面には、出力プラグの放電用ＵＳＢメスコネクタ１０３ｂと、入力ポート（充電ポート）の充電用ミニＵＳＢメスコネクタ１０３ｃと、ＬＥＤライト１０３ｄとを有している。
なお、バッテリ１０３は、他にインジケータや、ＯＮ−ＯＦＦスイッチなども備えていることが多いが、省略している。
【００２０】
電力コントローラ１０１のＵＳＢオスコネクタ１０１ｃは、バッテリ１０３の放電用ＵＳＢメスコネクタ１０３ｂと接続する。
【００２１】
電力コントローラ１０１は、電源ボタン１０１ｂの操作により、ＯＮ／ＯＦＦの切り替えが行われる。例えば、電力コントローラ１０１は、電源ボタン１０１ｂを長く（３秒程度）押されることで電源のＯＮ／ＯＦＦを切り替える。
【００２２】
電力コントローラ１０１は、電源のＯＮ状態では、バッテリ１０３の放電用ＵＳＢメスコネクタ１０３ｂからＵＳＢオスコネクタ１０１ｃに供給される電力を、シート型発熱体１０７に作用するのに適切な電力の形式に変換して、電源出力用メスコネクタ１０１ｄに出力する。この場合の電力の形式に変換としては、時間制御によるレベル調整を行っている。
もちろん、
【００２３】
コネクタ部１０５は、ピン形状の電源用オスコネクタ１０５ａが設けられている。電源用オスコネクタ１０５ａは、電力コントローラ１０１の電源出力用メスコネクタ１０１ｄと接続する。
【００２４】
また、コネクタ部１０５は、接続コード１０６を介してシート型発熱体１０７の接続部１０７ａと接続している。
【００２５】
シート型発熱体１０７は、矩形を呈しており、化繊と極細の銀糸とをニット状に編み込んで伸縮性を有する生地としたもので、例えば株式会社三機コンシスが製造販売しているウェアラブルヒータ（ＨＯＴＰＩＡ）が好適である。なお、株式会社三機コンシスのウェアラブルヒータは、すでに展示会などに出展済みで特許出願（特開２０１４−１５７８２４号公報）もなされた公知のものであり、当業者であればその詳細を容易に知ることができる。
【００２６】
シート型発熱体１０７の一つの角部には、接続部１０７ａが設けられている。電力コントローラ１０１の電源出力用メスコネクタ１０１ｄから電源用オスコネクタ１０５ａに供給された電力は、接続コード１０６及び接続部１０７ａを介してシート型発熱体１０７の生地に供給される。これにより、シート型発熱体１０７は発熱を行う。
【００２７】
（グローブ本体）
図２は、実施形態に係るグローブ本体２の裏側から見た展開図である。
【００２８】
図２に示すように、グローブ本体２は、化繊を素材とする柔軟な２枚の布地１１ａ、１１ｂから構成される帯状布部１１を主体としており、樹脂ファスナ止めにより袖形状となる。
【００２９】
帯状布部１１は、裏側及び表側の布地１１ａ、１１ｂを重ねて縫製したものであり、中央線Ｓ１により線対称となる一方及び他方の帯状領域１２ａ、１２ｂに区分される。
【００３０】
一方及び他方の帯状領域１２ａ、１２ｂの下端（腕先方向の端）は、それぞれ中央線Ｓ１から一方及び他方の側辺部１３ａ、１３ｂに向かって上方に傾斜する一方及び他方の傾斜縁部１４ａ、１４ｂになっている。傾斜縁部１４ａ、１４ｂの傾斜角は一般的な作業者の人差し指、中指、薬指、小指の第２関節付近に沿うように形成されている。
【００３１】
帯状領域１２ａ（１２ｂ）の一方及び他方の側辺部１３ａ、１３ｂには、ファスナ２１が設けられている。ファスナ２１は、一方及び他方のテープ２２ａ、２２ｂと、一方及び他方のエレメント（務歯）２３ａ、２３ｂと、スライダ（開閉部品）２４と、一方及び他方の上止２５ａ、２５ｂと、一方及び他方の下止２６ａ、２６ｂとから構成されている。
【００３２】
一方及び他方の帯状領域１２ａ、１２ｂの上端（腕元手前の端）は、中央線Ｓ１に対して直交する上縁部１５ａ、１５ｂが形成されている。
【００３３】
帯状布部１１の下端から若干離れた位置には、布地１１ａ、１１ｂの間にシート型発熱体１０７を収容する収納部１６が縫製により形成されている。
【００３４】
収納部１６の裏側の布地１１ａにおける一方の側辺部１３ａ寄りには、シート型発熱体１０７を挿通するための一方のスリット１７ａが形成されている。収納部１６の裏側の布地１１ａにおける他方の側辺部１３ｂ寄りには、シート型発熱体１０７を挿通するための他方のスリット１７ｂが形成されている。
【００３５】
帯状布部１１における収納部１６の上側には、作業者の親指を通すためのスリット１８が裏側及び表側の布地１１ａ、１１ｂを通して形成されている。
【００３６】
一方の帯状領域１２ａの裏面の上縁部１５ａから若干離れた位置には、第１のバッテリ収納部３１ａが設けられている。他方の帯状領域１２ｂの裏面の上縁部１５ｂから若干離れた位置には、第２のバッテリ収納部３１ｂが設けられている。
【００３７】
第１のバッテリ収納部３１ａは、バッテリポケット３２ａと、フラップ３３ａと、開孔部３４ａとから形成されている。第２のバッテリ収納部３１ｂは、バッテリポケット３２ｂと、フラップ３３ｂと、開孔部３４ｂとから形成されている。
【００３８】
第１及び第２のバッテリポケット３２ａ、３２ｂには、電力コントローラ１０１と、バッテリ１０３と、電熱式ヒータ装置１０４のコネクタ部１０５及び接続コード１０６の一部とが収納可能になっている。
【００３９】
バッテリポケット３２ａ、３２ｂの直上部には、電力コントローラ１０１及びバッテリ１０３の脱落を防止するフラップ３３ａ、３３ｂがそれぞれ縫いつけられている。バッテリポケット３２ａ、３２ｂの底部には、接続コード１０６を挿通させるための開孔部３４ａ、３４ｂがそれぞれ形成されている。
【００４０】
一方及び他方の帯状領域１２ａ、１２ｂの表面の上縁部１５ａ、１５ｂに近接した位置には、それぞれ第１及び第２のスナップボタンの凸部３５ａ、３５ｂが設けられている。
【００４１】
（右手用のグローブ）
図３は、グローブ本体２に電熱式ヒータセット１００を取り付けた右手用のグローブ１Ｒを示す展開図である。
【００４２】
グローブ本体２に電熱式ヒータセット１００を取り付けて右手用のグローブ１Ｒを準備する作業について説明する。
【００４３】
まず、図２に示すグローブ本体２の他方のスリット１７ｂに、図１に示すシート型発熱体１０７の接続部１０７ａを設けていない側を向けて、シート型発熱体１０７を挿入し、図３に示すように、収納部１６にシート型発熱体１０７を収納する。
【００４４】
次に、電熱式ヒータ装置１０４のコネクタ部１０５及び接続コード１０６を他方のスリット１７ｂに挿入し、布地１１ａ、１１ｂの間からコネクタ部１０５及び接続コード１０６を開孔部３４ｂに挿通させる。
【００４５】
次に、コネクタ部１０５及び接続コード１０６の先端側をバッテリポケット３１ｂの外側に導出させる。
【００４６】
次に、電力コントローラ１０１のＵＳＢオスコネクタ１０１ｃ（図１参照）を、バッテリ１０３の放電用ＵＳＢメスコネクタ１０３ｂ（図１参照）に接続し、コネクタ部１０５の電源用オスコネクタ１０５ａ（図１参照）を電力コントローラ１０１の電源出力用メスコネクタ１０１ｄ（図１参照）に接続する。
【００４７】
この後、電力コントローラ１０１の電源ボタン１０１ｂ（図１参照）を操作して、電力コントローラ１０１をオン状態とし、バッテリポケット３１ｂに、組み立てられた状態のコネクタ部１０５、接続コード１０６の先端側、電力コントローラ１０１及びバッテリ１０３を収納して、フラップ３３ｂを閉じることで、図３に示す右手用のグローブ１Ｒの準備が完了する。
【００４８】
（左手用のグローブ）
グローブ本体２に電熱式ヒータセット１００を取り付けて左手用のグローブ１Ｌ（図４参照）を準備する作業について説明する。
【００４９】
まず、図２に示すグローブ本体２の一方のスリット１７ａに、図１に示すシート型発熱体１０７の接続部１０７ａを設けていない側を向けて、シート型発熱体１０７を挿入し、収納部１６にシート型発熱体１０７を収納する。
【００５０】
次に、電熱式ヒータ装置１０４のコネクタ部１０５及び接続コード１０６を一方のスリット１７ａに挿入し、布地１１ａ、１１ｂの間からコネクタ部１０５及び接続コード１０６を開孔部３４ａに挿通させる。
【００５１】
次に、コネクタ部１０５及び接続コード１０６の先端側をバッテリポケット３１ａの外側に導出させる。
【００５２】
次に、電力コントローラ１０１のＵＳＢオスコネクタ１０１ｃ（図１参照）を、バッテリ１０３の放電用ＵＳＢメスコネクタ１０３ｂ（図１参照）に接続し、コネクタ部１０５の電源用オスコネクタ１０５ａ（図１参照）を電力コントローラ１０１の電源出力用メスコネクタ１０１ｄ（図１参照）に接続する。
【００５３】
この後、電力コントローラ１０１の電源ボタン１０１ｂ（図１参照）を操作して、電力コントローラ１０１をオン状態とし、バッテリポケット３１ａに、組み立てられた状態のコネクタ部１０５、接続コード１０６、電力コントローラ１０１及びバッテリ１０３を収納して、フラップ３３ａを閉じることで、左手用のグローブ１Ｌ（図４参照）の準備が完了する。
【００５４】
（左手用及び右手用のグローブ１Ｌ、１Ｒの作業者への着用方法）
図４は本発明の第１の実施形態に係る左手用及び右手用のグローブを作業者の左手及び右手に着用した状態を示す説明図である。
【００５５】
図４に示すように、ずれ防止紐３は、紐３ａとスナップボタンの凹部４Ｌ、４Ｒとから構成されている。紐３ａの一端には、スナップボタンの凹部４Ｌが取り付けられ、紐３の他端には、スナップボタンの凹部４Ｒが取り付けられている。
【００５６】
まず、ずれ防止紐３のスナップボタンの凹部４Ｌに左手用のグローブ１Ｌのスナップボタンの凸部３５ａを嵌合させ、防止紐３のスナップボタンの凹部４Ｒに右手用のグローブ１Ｒのスナップボタンの凸部３５ｂを嵌合させる。
【００５７】
この後、ファスナ２１を閉じることで、右手用のグローブ１Ｒが筒状になりグローブ形状にすることができる。
その後、右手用のグローブ１Ｒを作業者５の右手５Ｒ及び右腕に着用する作業に移る。
右手用のグローブ１Ｒを作業者５の右手５Ｒ及び右腕に着用する場合、まず、作業者５
は、右手用グローブ１Ｒに右手５Ｒを挿入し、そのまま右手５Ｒの腕まで、右手用グローブ１Ｒに挿入する。
そして、右手５Ｒの親指を右手用のグローブ１Ｒの裏側からスリット１８に挿通させ、右手５Ｒの親指をグローブ１Ｒの表側に突出させつつ、作業者５の右手５Ｒの人差し指、中指、薬指、小指を傾斜縁部１４ａ、１４ｂが作った筒の手口から露出させる。これにより、右手用のグローブ１Ｒのシート型発熱体１０７は、右手５Ｒの手の甲及び手の平に跨って巻き付けられた状態になる。
【００５８】
この後、作業者５の首の後ろ側に紐３を掛け、左手用のグローブ１Ｌを作業者５の左手５Ｌ及び左腕に着用する作業に移る。
【００５９】
左手用のグローブ１Ｌ（実態は、右手グローブを半回転させただけの同じもの）も、ファスナ２１を閉じることで、左手用のグローブ１Ｌが筒状になりグローブ形状にすることができる。
その後、左手用のグローブ１Ｌを作業者５の左手５Ｌ及び左腕に着用する作業に移る。
左手用のグローブ１Ｌを作業者５の左手５Ｌ及び右腕に着用する場合、まず、作業者５
は、左手用グローブ１Ｌに左手５Ｌを挿入し、そのまま左手５Ｌの腕まで、左手用グローブ１Ｌに挿入する。
そして、左手５Ｌの親指を左手用のグローブ１Ｌの裏側からスリット１８に挿通させ、左手５Ｌの親指をグローブ１Ｌの表側に突出させつつ、作業者５の左手５Ｌの人差し指、中指、薬指、小指を傾斜縁部１４ａ、１４ｂが作った筒の手口から露出させる。これにより、左手用のグローブ１Ｌのシート型発熱体１０７は、左手５Ｌの手の甲及び手の平に跨って巻き付けられた状態になる。
【００６０】
これで左手用及び右手用のグローブ１Ｌ、１Ｒの作業者５への着用が完了する。
この状態では、左手用及び右手用のグローブ１Ｌ、１Ｒにおいて、電力コントローラ１０１からの電力は、接続コード１０６及び接続部１０７ａを介してシート型発熱体１０７の生地に供給される。これにより、シート型発熱体１０７は発熱を行い、作業者５の左手５Ｌ及び右手５Ｒが暖められた状態になり、作業者５は低温化で快適な作業を行うことができる。また、ずれ防止紐３は、左手用及び右手用のグローブ１Ｌ、１Ｒが腕先方向へずれるのを防止している。
【００６１】
尚、左手用及び右手用のグローブ１Ｌ、１Ｒは、左右兼用となっており、帯状布部１１を半回転させることによって作業者５の左手、左腕、右手、右腕に着用することも可能である。
【００６２】
＜第１の実施形態の構成及び効果＞
第１の実施形態の電力コントローラ１０１は、バッテリ１０３と接続される第１端子（ＵＳＢオスコネクタ１０１ｃ）と、前記バッテリ１０３からの電力で駆動する作用部（シート型発熱体１０７）に間接的に接続される第２端子（電源出力用メスコネクタ１０１ｄ）と、本体部１０１ａと、を有し、前記本体部１０１ａは、前記第１端子から入力された電力を、前記作用部に作用するのに適切な電力の形式に変換して、前記第２端子に出力し、前記第１端子は、ＵＳＢ形式の端子で形成される。
【００６３】
尚、第１の実施形態では、前記第２端子が前記作用部に間接的に接続される構成としたが、第２端子が作用部に直接接続される構成としてもよい。
【００６４】
このような構成を有することから、第１の実施形態では、ＵＳＢ形式の第１端子（ＵＳＢオスコネクタ１０１ｃ）をバッテリ１０３と接続線を介さずに直接接続することができ、接続線を減らして、接続線の嵩張りを低減することができるという効果がある。
【００６５】
また、第１の実施形態の電力コントローラ１０１において、前記第１端子（ＵＳＢオスコネクタ１０１ｃ）は、オス形式のＵＳＢ端子であり、前記第１端子は、前記本体部１０１ａからその端子部分が直接伸びている。
【００６６】
このような構成を有することから、第１の実施形態には、バッテリ１０３として一般的で普及率が高いＵＳＢモバイルバッテリを使用することができるという効果がある。
【００６７】
また、第１の実施形態の左手用及び右手用のグローブ１Ｌ、１Ｒは、電力コントローラ１０１と、前記電力コントローラ１０１へのバッテリ１０３との少なくともいずれか一方を収納可能な収納部（第１及び第２のバッテリ収納部３１ａ、３１ｂ）と、手の平側、又は、手の甲側に当接されて発熱する作用部（シート型発熱体１０７）と、前記作用部と前記電力コントローラ１０１との間を電気的に接続する接続線（接続コード１０６）とを備えている。
【００６８】
このような構成を有することから、第１の実施形態には、電力コントローラ１０１と、バッテリ１０３との少なくともいずれか一方を左手用及び右手用のグローブ１Ｌ、１Ｒに容易に装着し、作用部（シート型発熱体１０７）の発熱により手を効率的に温めることができるという効果がある。
【００６９】
また、第１の実施形態の左手用及び右手用のグローブ１Ｌ、１Ｒは、手の平側、及び、手の甲側を跨ることによって、１つの作用部（シート型発熱体１０７）で、手の平側、及び、手の甲側を温めることが可能になっている。
【００７０】
このような構成を有することから、１つの作用部で、手の平側、及び、手の甲側を温めることが可能になり、製造コストを低減することが可能になるという効果がある。
【００７１】
また、本発明の第１の実施形態の電力コントローラ１０１及びグローブ１Ｌ、１Ｒによれば、作用部（シート型発熱体１０７）と電力コントローラ１０１との間を電気的に接続する接続線（接続コード１０６）を布地１１ａ、１１ｂの間に通すことで、接続線が露出するのを防止できる。
【００７２】
さらに、本発明の第１の実施形態の左手用及び右手用のグローブ１Ｌ、１Ｒは、同じ製品の組み立て方を変えた物なので、左手用及び右手用のグローブを揃える場合の製造コストを低減することが可能になる。
【００７３】
さらに、本発明の第１の実施形態のグローブ１Ｌ、１Ｒによれば、長時間の使用によってバッテリ１０３が消耗した場合、作業者５は、第１のバッテリ収納部３１ａまたは第２のバッテリ収納部３１ｂから電力コントローラ１０１及びバッテリ１０３を取り出し、電力コントローラ１０１からバッテリ１０３を取り外し、充電済みのバッテリ１０３に交換し、第１のバッテリ収納部３１ａまたは第２のバッテリ収納部３１ｂに電力コントローラ１０１と交換済みのバッテリ１０３を収納する。これにより、グローブ１Ｌ、１Ｒの発熱機能が回復するため、バッテリ１０３の消耗により作業を中断する時間を低減することができる。尚、消耗したバッテリ１０３は、パーソナルコンピュータ等からＵＳＢケーブル（一端側がパソコンと接続するＵＳＢオスコネクタ、他端側がバッテリ１０３の充電用ミニＵＳＢメスコネクタ１０３ｃと接続するミニＵＳＢオスコネクタ）を用いて容易に充電できる。
【００７４】
尚、本発明の第１の実施形態では、電力コントローラ１０１には、操作部として電源ＯＮ／ＯＦＦ用の電源ボタン１０１ｂを設けたが、操作部として電力調整用のボタンを設け、シート型発熱体１０７に供給する電力を多段階で調整できるようにしてもよい。
【００７５】
＜第２の実施形態＞
本発明の第２の実施形態では、シート型発熱体１０７（図１参照）に温度センサを設け、温度センサの検出結果を布地１１ａ、１１ｂ（図１参照）の間に通された接続線を介して電力コントローラに供給し、電力コントローラが温度センサの検出結果に基づいて適切な電力の形式に変換して、シート型発熱体１０７に供給するように構成する。
【００７６】
このような第２の実施形態によれば、第１の実施形態と同様の効果が得られるとともに、より適切なシート型発熱体１０７の温度調整を行える。
【００７７】
以上で具体的実施形態の説明を終えるが、本発明の態様は上記第１及び第２の実施形態に限られるものではない。例えば、上記第１及び第２の実施形態のグローブ１Ｌ、１Ｒでは、作用部（シート型発熱体１０７）が手の平側及び手の甲側に当接させて発熱するようにしたが、他の部位に作用部を当接させるようにしてもよい。また、上記第１及び第２の実施形態は本発明をグローブに適用したものであるが、半袖や長袖の上着、スボン、下着、靴下等、他種の防寒被服にも当然に適用可能である。また、作用部についても、第１及び第２の実施形態のシート型発熱体１０７（布状ヒータ）に代えて、柔軟な板状ヒータ等を採用してもよい。また、作用部や温度センサと電力コントローラとを布地に編み込まれた伸縮電線によって接続するようにしてもよい。また、電力コントローラとして、電圧制御に代えて電流制御やＰＷＭ制御を行うものを採用してもよい。その他、防寒ベストやネックウォーマを始め、バッテリ収納部や各端子の具体的形状や構造等についても本発明の趣旨を逸脱しない範囲であれば適宜変更可能である。
電力コントローラ（１０１）は、電圧、電流のコントロールだけでなく、パルスの間隔、パルスの幅などをコントロールできるものであって良い。その他、電力を調整・制御できるものであればどのようなものであってもよい。
【００７８】
本発明の、構造、システム、プログラム、材料、各部材の連結、化学物質、などは、本発明の要旨を変更しない範囲で、様々に変更可能である。
【００７９】
材質も、繊維、金属、プラスチック、ＦＲＰ、セラミック等を自由に選択することが可能である。
【００８０】
例えば、２つ以上の部材を１つにすることも可能であるし、逆に、１つの部材を２つ以上の別の部材から構成して接続することも可能である。
【００８１】
また、上記第１及び第２の実施形態は、あくまでも、現在のところの最良の形態またはそれに近い形態にすぎない。
また、制御の順序なども、所定の効果を有するのであれば、適宜変更可能である。
【００８２】
＜定義等＞
本発明におけるバッテリは、放電用ＵＳＢメスコネクタを備えるものであればどのようなものであってもよい。
本発明におけるバッテリの一例がＵＳＢモバイルバッテリである。
【産業上の利用可能性】
【００８３】
本発明は、冬期の屋外作業に用いられる防寒用グローブに利用できる。
【符号の説明】
【００８４】
１Ｌ、１Ｒ    グローブ
２    グローブ本体
３    ずれ防止紐
３ａ    紐
４Ｌ、４Ｒ    スナップボタンの凹部
５    作業者
５Ｌ    左手
５Ｒ    右手
１１    帯状布部
１１ａ、１１ｂ    布地
１２ａ、１２ｂ    帯状領域
１３ａ、１３ｂ    側辺部
１４ａ、１４ｂ    傾斜縁部
１５ａ、１５ｂ    上縁部
１６    収納部
１７ａ、１７ｂ    スリット
１８    スリット
２１    ファスナ
２２ａ、２２ｂ    テープ
２３ａ、２３ｂ    エレメント
２４    スライダ（開閉部品）
２５ａ、２５ｂ    上止
２６ａ、２６ｂ    下止
３１ａ、３１ｂ    バッテリ収納部
３２ａ、３２ｂ    バッテリポケット
３３ａ、３３ｂ    フラップ
３４ａ、３４ｂ    開孔部
３５ａ、３５ｂ    スナップボタンの凸部
１００    電熱式ヒータセット
１０１    電力コントローラ
１０１ａ    本体部
１０１ｂ    押しボタンスイッチ
１０１ｃ    ＵＳＢオスコネクタ
１０１ｄ    電源出力用メスコネクタ
１０３    バッテリ
１０３ａ    本体ケース
１０３ｂ    放電用ＵＳＢメスコネクタ
１０３ｃ    充電用ミニＵＳＢメスコネクタ
１０３ｄ    ＬＥＤライト
１０４    電熱式ヒータ装置
１０５    コネクタ部
１０５ａ    電源用オスコネクタ
１０６    接続コード
１０７    シート型発熱体
１０７ａ    接続部
Ｓ１    中央線
【図１】
2020063526.tif 000003
【図２】
2020063526.tif 000004
【図３】
2020063526.tif 000005
【図４】
2020063526.tif 000006